(57)【要約】【課題】  簡単な構成で壁面の凹部に配置した埋め込み手洗いボールの上部が前後方向にぶれないように取付けることができる。【解決手段】  埋め込み手洗いボール１は、手洗いボール部２の背部に上方に向けてバックボード部３を突出し、バックボード部３の上端部に前方に向けて上横片４を突設して構成する。上横片４の前端に上方に向けて前縁突部５を突設する。上横片４の上面に上方に向けて突起６を突設する。突起６の前面を下に行くほど前方となるような傾斜面７とする。壁面８に凹部９を形成すると共に凹部９の上面に下方に開口した嵌め込み溝１０を形成する。埋め込み手洗いボールを壁面８の凹部９に配置する。突起６を嵌め込み溝１０に嵌め込んで嵌め込み溝１０の前下端縁に上記突起６の傾斜面７を当接すると共に前縁突部５を壁面８の前面に当接する。【選択図】        図１
2010150904.tif 000002
【特許請求の範囲】
【請求項１】
手洗いボール部の背部に上方に向けてバックボード部を突出し、該バックボード部の上端部に前方に向けて上横片を突設して埋め込み手洗いボールを構成し、上記上横片の前端に上方に向けて前縁突部を突設し、上横片の上面に上方に向けて突起を突設し、該突起の前面を下に行くほど前方となるような傾斜面とし、壁面に凹部を形成すると共に凹部の上面に下方に開口した嵌め込み溝を形成し、上記埋め込み手洗いボールを壁面の凹部に配置し、突起を嵌め込み溝に嵌め込んで嵌め込み溝の前下端縁に上記突起の傾斜面を当接すると共に、前縁突部を壁面の前面に当接して成ることを特徴とする埋め込み手洗いボールの取付け構造。
【請求項２】
突起の前面を下に行くほど前方となるような傾斜面とすると共に突起の側面を下に行くほど外側方となるような側傾斜面とし、突起を嵌め込み溝に嵌め込んで嵌め込み溝の前下端縁に上記突起の傾斜面を当接して前縁突部を壁面の前面に当接すると共に、嵌め込み溝の側下端縁に側傾斜面を当接して成ることを特徴とする請求項１記載の埋め込み手洗いボールの取付け構造。
【請求項３】
埋め込み手洗いボールの下面部と凹部の奥面とをＬ型金具で取付けることを特徴とする請求項１又は請求項２記載の埋め込み手洗いボールの取付け構造。
【請求項４】
Ｌ型金具にねじ具を設け、該ねじ具により埋め込み手洗いボールの下面部を上方に押し上げて成ることを特徴とする請求項３記載の埋め込み手洗いボールの取付け構造。
【請求項５】
ねじ具と突起とが側面視で略垂直線上に並ぶことを特徴とする請求項４記載の埋め込み手洗いボールの取付け構造。
【発明の詳細な説明】
【技術分野】
【０００１】
本発明は、トイレの壁面などに埋め込み手洗いボールを取付けるための技術に関するものである。
【背景技術】
【０００２】
従来から、特許文献１などに示されるように、トイレルームの壁面に手洗いボールを埋め込んで据え付けるものが知られている。
【０００３】
従来の埋め込み手洗いボールは、手洗いボール部２の背部に上方に向けてバックボード部３を突出し、該バックボード部３の上端部に前方に向けて上横片４を突設して埋め込み手洗いボールを構成するようになっており、上記上横片４の前端に上方に向けて前縁突部５を突設してある。
【０００４】
そして、埋め込み手洗いボールを壁面８に形成した凹部９に配置し、前縁突部５を壁面８に当接して取付けるようになっている。
【０００５】
上記壁面８に配置した埋め込み手洗いボールの壁面８への固定に当たっては、例えば、埋め込み手洗いボールの下面部のみを金具１１’を用いて固定することが考えられるが、この場合、下面部のみの固定なので、取付けが安定せず、また、埋め込み手洗いボールの上部が前後にぶれ、前縁突部５と壁面８との間に隙間が発生し易いという問題があり、施工仕上がりが悪くなるおそれがある。
【０００６】
そこで、図６のように上横片４部分と、下面部の上下２箇所をそれぞれビス１４で固定することが提案されている。これだと、取付けが安定し、上部が前後にぶれないようにすることができる。しかしながら、この場合、上横片４部分を固定しているビス１４の頭が見えて好ましくないという問題が発生する。
【０００７】
そこで、本発明者は、図７のように埋め込み手洗いボール１の下面部を金具１１’を介してビス１４で固定することに加え、上横片４の前後方向の略中間位置に上方に向けて突起６を突設し、また、壁面８に形成した凹部９の上面に下方に開口した嵌め込み溝１０を形成し、突起６を嵌め込み溝１０に嵌め込む参考例を考えた。
【０００８】
これだと、埋め込み手洗いボール１の上部の取付けができて取付けが安定するが、それでも嵌め込み溝１０、突起６等の寸法誤差等により、埋め込み手洗いボール１の上部の前後方向のぶれが生じるおそれがあり、前縁突部５と壁面８との間に隙間Ｓが発生する可能性があることが判った。
【先行技術文献】
【特許文献】
【０００９】
【特許文献１】実公平６−１７８９３号公報
【発明の概要】
【発明が解決しようとする課題】
【００１０】
本発明は上記の従来の問題点に鑑みて発明したものであって、簡単な構成で壁面の凹部に配置した埋め込み手洗いボールの上部が前後方向にぶれないように取付けることができ、また、従来のように埋め込み手洗いボールの表面にビスの頭部が露出したりしないようにできる埋め込み手洗いボールの取付け構造を提供することを課題とするものである。
【課題を解決するための手段】
【００１１】
本発明の埋め込み手洗いボール１は、手洗いボール部２の背部に上方に向けてバックボード部３を突出し、該バックボード部３の上端部に前方に向けて上横片４を突設して構成する。そして、本発明の特徴は、上記上横片４の前端に上方に向けて前縁突部５を突設し、上横片４の上面に上方に向けて突起６を突設し、該突起６の前面を下に行くほど前方となるような傾斜面７とし、壁面８に凹部９を形成すると共に凹部９の上面に下方に開口した嵌め込み溝１０を形成し、上記埋め込み手洗いボールを壁面８の凹部９に配置し、突起６を嵌め込み溝１０に嵌め込んで嵌め込み溝１０の前下端縁に上記突起６の傾斜面７を当接すると共に、前縁突部５を壁面８の前面に当接することにある。
【００１２】
このように突起６を嵌め込み溝１０に嵌め込むことで、埋め込み手洗いボール１の上部をねじ具などを用いることなく取付けることができる。これに加え、嵌め込み溝１０の前下端縁に傾斜面７を当接することで、埋め込み手洗いボール１の上部が前方にぶれるのが防止され、また、前縁突部５を壁面８の前面に当接することで、埋め込み手洗いボール１の上部が後方にぶれるのが防止される。
【００１３】
また、突起６の前面を前下がりの傾斜面７とすると共に突起６の側面を下に行くほど外側方となるような側傾斜面７ａとし、突起６を嵌め込み溝１０に嵌め込んで嵌め込み溝１０の前下端縁に上記突起６の傾斜面７を当接して前縁突部５を壁面８の前面に当接すると共に、突起６の嵌め込み溝１０の側下端縁に側傾斜面７ａを当接することが好ましい。
【００１４】
このような構成とすることで、突起６を嵌め込み溝１０に嵌め込むことで、取付け位置の前後方向の位置決めができるだけでなく左右方向の位置決めができる。
【００１５】
また、埋め込み手洗いボール１の下面部と凹部９の奥面とをＬ型金具１１で取付けることが好ましい。
【００１６】
このような構成とすることで、埋め込み手洗いボール１は上記のように上部を突起６を嵌め込み溝１０に嵌め込み、下面部をＬ型金具１１で取付けることで、埋め込み手洗いボール１の上下を安定して取付けることができる。しかも下面部のみを金具を用いて取付けるのみでよいので、構造が簡略化し、施工が容易となる。
【００１７】
また、Ｌ型金具１１にねじ具１２を設け、該ねじ具１２により埋め込み手洗いボール１の下面部を上方に押し上げることが好ましい。
【００１８】
このような構成とすることで、Ｌ型金具１１にねじ具１２を操作して埋め込み手洗いボール１の下面部を上方に押し上げることで、嵌め込み溝１０の前下端縁に傾斜面７の任意の位置をぴったりと当接することができて、簡単に前後方向にずれないようにすることができる。
【００１９】
また、ねじ具１２と突起６とが側面視で略垂直線上に並ぶことが好ましい。
【００２０】
このような構成とすることで、上記のようにねじ具１２を操作して埋め込み手洗いボール１の下面部を上方に押し上げて、嵌め込み溝１０の前下端縁に傾斜面７を当接するに当たって、埋め込み手洗いボール１が傾かないようにできる。
【発明の効果】
【００２１】
本発明は、上記のように構成したので、簡単な構成で、埋め込み手洗いボールの上部をねじ具などを用いることなく取付けて、埋め込み手洗いボールの上部が前後にぶれないように取付けることができる。しかも、埋め込み手洗いボールの上部の取付けがビスを用いることなくできるので、従来のようにビスの頭部が埋め込み手洗いボールの表面に見えるという不都合も生じない。
【図面の簡単な説明】
【００２２】
【図１】本発明の埋め込み手洗いボールの取付け構造を示す説明図である。
【図２】同上の要部拡大断面図である。
【図３】同上の凹部を有するキャビネットを示す分解斜視図である。
【図４】本発明の他の実施形態を示し、（ａ）は斜視図であり、（ｂ）は分解斜視図である。
【図５】（ａ）は同上の要部拡大断面図であり、（ｂ）は要部拡大分解斜視図である。
【図６】従来例の埋め込み手洗いボールの取付け構造を示す断面図である。
【図７】参考例の埋め込み手洗いボールの取付け構造を示す断面図である。
【発明を実施するための形態】
【００２３】
以下、本発明を添付図面に示す実施形態に基いて説明する。
【００２４】
本発明の埋め込み手洗いボール１は、手洗いボール部２の背部に上方に向けてバックボード部３を突出し、該バックボード部３の上端部に前方（手洗いボール１を使用する人の側。以下同じ）に向けて上横片４を突設することで構成してある。
【００２５】
なお、図３に示す実施形態では手洗いボール部２の略後半分から上方に向けて断面コ字状をした立ち上がり部１８を突設し、この立ち上がり部１８の後部（断面コ字状の背片）がバックボード部３となっており、断面コ字状をした立ち上がり部１８の上端に囲まれた部分を覆うように上横片４が突設してある。
【００２６】
上横片４には前端に上方に向けて前縁突部５が突設してある。また、上横片４の前縁突部５と接続する部分及びバックボード部３と接続する部分の間の任意の位置には、上方に向けて突起６が突設してある。したがって、添付図面に示す実施形態においては、上横片４の前後方向の略中間位置には上方に向けて突起６が突設してあるが、必ずしも、前後方向の略中間位置にのみ限定されるものではない。また、図３に示す実施形態では突起６が上横片４の上面の左右方向にわたって突設してあるが、該突起６としては左右方向にわたって突設するものに限定されるものではなく、上横片４の上面に、左右方向の幅の短い突起６を左右方向に１乃至複数個突設したものであってもよい。
【００２７】
この突起６の前面は図１、図２に示すように、下に行くほど前方となるような前下りの傾斜面７となっている。なお、図１、図２に示す実施形態では突起６の前面の上下方向全体が前下りの傾斜面７となっている例を示しているが、突起６の前面の上下方向の一部が前下りの傾斜面７となっていてもよい。
【００２８】
一方、トイレルームなどの壁面８には上記埋め込み手洗いボール１を配置するための凹部９が形成してあり、この凹部９の上面には下方に開口した嵌め込み溝１０が形成してある。
【００２９】
ここで、図２に示すように、嵌め込み溝１０の前下端縁から壁面８の表面８ａまでの寸法をＡとし、傾斜面７の上端から前縁突部５の後端までの寸法をａとし、傾斜面７の下端から前縁突部５の後端までの寸法をｂとした場合、ａ＞Ａ＞ｂという関係に設定してある。
【００３０】
また、凹部９の奥面又は側面にはＬ型金具１１の固定縦片１３をビス１４により固着してあり、該Ｌ型金具１１の固定横片１５にはねじ具１２が下方から螺合して貫通してあって、ねじ具１２の上端部には支持部１６が設けてある。
【００３１】
上記の構成の埋め込み手洗いボール１は、ねじ具１２を操作して支持部１６を下方に下降させた状態で、壁面８に設けた凹部９内に配置し、突起６を嵌め込み溝１０に浅く嵌め込むと共に、前縁突部５を壁面８の前面に小間隙を介して対向させる。この状態でねじ具１２を操作してねじ具１２上端に設けた支持部１６を上昇させて埋め込み手洗いボール１の下面部を上方に押し上げる。手洗いボール１が上方に押し上げられることで、傾斜面７の任意の位置が嵌め込み溝１０の前下端縁に当接すると共に、前縁突部５が壁面８の前面に当接する。
【００３２】
これにより、埋め込み手洗いボール１の上部が壁面８に強固に固定され、埋め込み手洗いボール１の上部が前後にぶれることがなく、前縁突部５と壁面８との間に隙間が生じることがない。
【００３３】
Ｌ型金具１１に設けたねじ具１２と、突起６とは、図１の一点鎖線に示すように、側面視で略垂直線上に並ぶような位置関係に設けてある。したがって、前述のようにＬ型金具１１に設けたねじ具１２を操作して埋め込み手洗いボール１の下面部を上方に押し上げて、嵌め込み溝１０の前下端縁に傾斜面７を当接するに当たって、埋め込み手洗いボール１が傾かないようにできることになる。
【００３４】
なお、本発明において壁面８に埋め込み手洗いボール１を埋め込む凹部９を設けるに当たっては、建物の壁そのものに凹部９を形成する場合だけでなく、図３のように凹部９を有するキャビネット１７を建物の壁に埋め込む又は沿わせることで壁面８に凹部９を形成してもよい。
【００３５】
この場合、キャビネット１７が壁面８の一部を構成するもので、キャビネット１７の前面（実施形態では凹部９の周囲の外周枠の前端面）が壁面８の表面８ａの一部を構成することになる。
【００３６】
図４、図５には本発明の他の実施形態が示してある。図４、図５に示す本実施形態においては、手洗いボール部２の略後半分から上方に向けて断面コ字状をした立ち上がり部１８を突設し、この立ち上がり部１８の後部（断面コ字状の背片）がバックボード部３となっており、断面コ字状をした立ち上がり部１８の上端に囲まれた部分を覆うように上横片４が突設してある。
【００３７】
また、立ち上がり部１８の上端部（つまり上横片４には前端）に上方に向けて前縁突部５が突設してあり、また、立ち上がり部１８の両側部の前端部及び該前端部の下端から手洗いボール部２の略下端高さまで側縁突部１９が突設してあり、上記前縁突部５の両端部と側縁突部１９の上端部の前面同士が面一に連続し、背面同士も面一に連続している。
【００３８】
上横片４の上面には１乃至複数の突起６を突設してある。本実施形態における突起６は、下に行くほど前方となるような前面が前下りの傾斜面７となり、且つ、側面が下に行くほど外側方となるような側傾斜面７ａとなっている。
【００３９】
この実施形態においても、前述のａ＞Ａ＞ｂという関係となるように各部の寸法関係が設定してある。また、これに加え、本発明の実施形態においては、埋め込み手洗いボール１の断面コ字状をした立ち上がり部１８の左右両側部の外面間の寸法をｃとし、左右の側縁突部１９の外側面（突出方向の面）間の寸法をｄとし、壁面８の凹部９の左右の幅をｅとした場合、ｄ＞ｅ＞ｃという関係となるように各部の寸法関係が設定してある。また、立ち上がり部１８の前後方向の寸法は凹部９の前後方向の寸法よりも短く設定してある。
【００４０】
また、本実施形態においても、凹部９の奥面又は側面にはＬ型金具１１の固定縦片１３をビス１４により固着してあり、該Ｌ型金具１１の固定横片１５にはねじ具１２が下方から螺合して貫通してあって、ねじ具１２の上端部には支持部１６が設けてある。
【００４１】
上記の構成の埋め込み手洗いボール１は、ねじ具１２を操作して支持部１６を下方に下降させた状態で、壁面８に設けた凹部９内に配置し、突起６を嵌め込み溝１０に浅く嵌め込むと共に、前縁突部５を壁面８の前面に小間隙を介して対向させる。この状態でねじ具１２を操作してねじ具１２上端に設けた支持部１６を上昇させて埋め込み手洗いボール１の下面部を上方に押し上げる。手洗いボール１が上方に押し上げられることで、傾斜面７の任意の位置が嵌め込み溝１０の前下端縁に当接すると共に、前縁突部５及び側縁突部１９が壁面８の前面に当接して前後方向の取付位置決めがなされる。この時、嵌め込み溝１０の側下端縁に側傾斜面７ａが当接した状態で手洗いボール１が上方に押し上げられるため、側傾斜面７ａの嵌め込み溝１０の側下端縁に当たる位置が変わりながら手洗いボール１が左右方向に移動し、上記前縁突部５及び側縁突部１９が壁面８の前面に当接して前後方向の取付位置決めがなされた際に、手洗いボール１の左右方向の位置決めが同時になされる。これにより、手洗いボール１が壁面８に設けた凹部９に前後方向、左右方向に正しく位置決めされた状態で嵌め込んで取付けられることになる。
【００４２】
本実施形態においては、図４のように、キャビネット１７を建物の壁に埋め込む又は沿わせることで壁面８に凹部９を形成する例において、特に下記のような効果がある。すなわち、キャビネット１７の外周枠の左右の縦枠の前端面の左右方向の寸法と側縁突部１９の左右方向の寸法（側方への突出寸法）を同じにした場合、上記のように左右方向の位置決めができるので、キャビネット１７の外周枠の左右の縦枠の前端面に左右の側縁突部１９をぴったりと重ねて収まりを良くすることができる。
【００４３】
ここで、図５に示す実施形態においては、突起６の前面を傾斜面７とし、側面を側傾斜面７ａとするに当たり、下部を大径部６ａとし、大径部６ａの上端に、その下端の径が大径部６ａの上端の径と同じ円錐台部６ｂを突設し、且つ、円錐台部６ｂの上端に、その下端の径が円錐台部６ｂの上端の径と同じで、且つ、下端以外の径が円錐台部６ｂの上端の径と同じか小さい小径部６ｃを突設して突起６を構成することで、突起６の上下方向の中間部の全周面が下程径が大きい傾斜面となり、前面の上下方向の中間部を傾斜面７とし、両側面を側傾斜面７ａとすることができる。しかも、この実施形態では、上部の小径部６ｃが突起６を嵌め込み溝１０に嵌め込む際のガイドとなる。
【００４４】
なお、円錐台部６ｂの下端の径は嵌め込み溝１０の径よりも大きく、円錐台部６ｂの上端の径は嵌め込み溝１０の径よりも小さい。
【００４５】
なお、突起６の上記円錐台部６ｂが角錐台であってもよい。
【００４６】
また、突起６全体が円錐台又は円錐、あるいは突起６が全体が角錐台又は角錐であってもよい。
【符号の説明】
【００４７】
１  埋め込み手洗いボール
２  手洗いボール部
３  バックボード部
４  上横片
５  前縁突部
６  突起
７  傾斜面
７ａ  側傾斜面
８  壁面
９  凹部
１０  嵌め込み溝
１１  Ｌ型金具
１２  ねじ具
【図１】
2010150904.tif 000003
【図２】
2010150904.tif 000004
【図３】
2010150904.tif 000005
【図４】
2010150904.tif 000006
【図５】
2010150904.tif 000007
【図６】
2010150904.tif 000008
【図７】
2010150904.tif 000009